(57)【要約】【課題】本発明は、誤作動を防止でき、且つ使用寿命が長い車のリモートキーを提供することを目的とする。【解決手段】本発明の車のリモートキーのマイクロ制御器は、タッチ情報を受信し、且つタッチ軌跡の開始点位置が複数の機能アイコンの中の１つの座標位置と一致するかどうかを判断し、一致すると確定すると、タッチ軌跡は予め設定されたタッチ経路と一致するかどうかを判断し、一致すると確定すると、タッチ情報は記憶ユニットのタッチ情報であると確定し、タッチ情報と予め設定された機能との対応関係に基づいて、タッチ情報に対応する予め設定された機能を確定し、且つ確定された予め設定された機能を作動するコントロール信号を生成し、無線通信ユニットは、コントロール信号を車に送信することにより、車がコントロールされ、対応する機能が実行される。【選択図】図３
2015045218.tif 000002
【特許請求の範囲】
【請求項１】
本体、前記本体に設置されたタッチパネル、前記本体内部に設置された記憶ユニット、タッチ検出ユニット、マイクロ制御器及び無線通信ユニットを備える車のリモートキーにおいて、
前記タッチパネルには、複数の機能アイコンが設置され、ユーザのタッチ操作に応答して、対応するタッチ信号を生成し、
前記記憶ユニットには、各前記機能アイコンの座標位置、複数のタッチ情報及び複数のタッチ情報と予め設定された機能との対応関係が予め保存されており、ここで、各タッチ情報は、１つの機能アイコンの座標位置を開始点として設定されたタッチ経路を備え、
前記タッチ検出ユニットは、前記タッチパネルに接続されて、前記タッチパネルが生成したタッチ信号を検出し、且つ検出された信号に基づいて、対応するタッチ情報を確認した後、該タッチ信号を前記マイクロ制御器に送信し、ここで、前記タッチ情報は、タッチ軌跡及びタッチ開始点位置を備え、
前記マイクロ制御器は、前記タッチ検出ユニットからタッチ情報を受信し、且つ前記記憶ユニットを検索して、タッチ軌跡の開始点位置が、複数の前記機能アイコンの中の１つの座標位置と一致するかどうかを判断し、前記タッチ軌跡の開始点位置が複数の前記機能アイコンの中の１つの座標位置と一致すると確定すると、更に前記記憶ユニットを検索して、前記タッチ軌跡が予め設定されたタッチ経路と一致するかどうかを判断し、前記タッチ軌跡は予め設定されたタッチ経路と一致すると確定すると、前記タッチ情報は前記記憶ユニットの中のタッチ情報であると確定し、前記タッチ情報と予め設定された機能との対応関係に基づいて、前記タッチ情報に対応する予め設定された機能を確定し、且つ確定された前記予め設定された機能を作動するコントロール信号を生成し、
前記無線通信ユニットは、前記コントロール信号を車に送信することにより、車がコントロールされ、対応する機能が実行されることを特徴とする車のリモートキー。
【請求項２】
各前記タッチ情報における予め設定されたタッチ経路は、前記機能アイコンの座標位置を開始点として設定し、且つ予め設定された方向に向かってスライドする軌跡であることを特徴とする請求項１に記載の車のリモートキー。
【請求項３】
各前記タッチ情報における予め設定されたタッチ経路は、前記機能アイコンの座標位置を開始点として設定し、且つ予め設定された様式によってスライドする軌跡であることを特徴とする請求項１に記載の車のリモートキー。
【請求項４】
前記車のリモートキーは、前記本体に設置された複数の機能ボタンを備え、
前記記憶ユニットには、各前記機能ボタンと予め設定された特定機能との対応関係が予め保存され、
前記機能ボタンは、ユーザの押圧操作に応じて、対応する押圧信号を生成し、且つ押圧信号を前記マイクロ制御器に送信し、
前記マイクロ制御器は、前記押圧信号に基づいて、押圧された機能ボタンを確定し、且つ押圧された機能ボタンと前記特定機能との関係に基づいて、対応する前記特定機能を確定した後、前記特定機能の作動に対応するコントロール信号を生成し、前記コントロール信号を前記無線通信ユニットを介して、前記車に送信することを特徴とする請求項１に記載の車のリモートキー。
【請求項５】
前記車のリモートキーは、提示制御ユニットを備え、前記提示制御ユニットは、ユーザがタッチしたことを示すことを特徴とする請求項１に記載の車のリモートキー。
【請求項６】
前記提示制御ユニットは振動器であり、前記マイクロ制御器が、前記タッチ開始点位置が複数の機能アイコンの中の１つの座標位置であると確定した場合振動して、ユーザがタッチしたことを示すことを特徴とする請求項５に記載の車のリモートキー。
【請求項７】
前記提示制御ユニットは照明制御器であり、前記マイクロ制御器が、タッチ開始点位置が複数の前記機能アイコンの中の１つの座標位置であると確定した場合、前記確定した座標位置に対応する前記機能アイコンを点灯させて、タッチされた前記機能アイコンを点灯させた状態で表示することを特徴とする請求項５に記載の車のリモートキー。
【請求項８】
本体、前記本体に設置されたタッチパネル、前記本体内部に設置された記憶ユニット、タッチ検出ユニット、マイクロ制御器及び無線通信ユニットを備える車のリモートキーにおいて、
前記タッチパネルには、複数の機能アイコンが設置され、ユーザのタッチ操作に応答して、対応するタッチ信号を生成し、
前記記憶ユニットには、各前記機能アイコンの座標位置、終点指示アイコンの座標位置、複数のタッチ情報及び複数のタッチ情報と予め設定された機能との対応関係が予め保存されており、ここで、各タッチ情報は、１つの機能アイコンの座標位置を開始点として設定され、且つ前記終点指示アイコンの座標位置を終点として設定されたタッチ経路を備え、
前記タッチ検出ユニットは、前記タッチパネルと接続されて、前記タッチパネルが生成したタッチ信号を検出し、且つ検出された信号に基づいて、対応するタッチ情報を確認した後、該タッチ信号を前記マイクロ制御器に送信し、ここで、前記タッチ情報は、タッチ軌跡及びタッチ開始点位置を備え、
前記マイクロ制御器は、前記タッチ検出ユニットからタッチ情報を受信し、且つ前記記憶ユニットを検索してタッチ軌跡の開始点位置が、複数の前記機能アイコンの中の１つの座標位置と一致するかどうかを判断し、前記タッチ軌跡の開始点位置が複数の前記機能アイコンの中の１つの座標位置と一致すると確定すると、更に前記記憶ユニットを検索して、前記タッチ軌跡のタッチ終点位置が、前記終点指示アイコンの座標位置かどうかを判断し、前記タッチ軌跡のタッチ終点位置が、前記終点指示アイコンの座標位置であると確定すると、前記マイクロ制御器は、前記タッチ情報が前記記憶ユニットの中のタッチ情報であると確定し、且つ前記タッチ情報と予め設定された特定機能との対応関係に基づいて、前記タッチ情報に対応する予め設定された機能を確定し、且つ確定された前記予め設定された機能に対応するコントロール信号を生成し、
前記無線通信ユニットは、前記コントロール信号を車に送信することにより、車がコントロールされ、対応する機能が実行されることを特徴とする車のリモートキー。
【発明の詳細な説明】
【技術分野】
【０００１】
本発明は、車に関し、特に車のリモートキーに関するものである。
【背景技術】
【０００２】
現在、車のリモートキーは、車の重要な部品の１つとなっており、ユーザは、この車のリモートキーを使用して、遠距離からドアのロック或いはロックの解除をコントロールすることができる。従来の車のリモートキーは、押圧式のボタンを備えるインタフェースを有する。しかし、押圧式キーは、手に持つ或いは他の物と一緒に放置した際、ボタンが押圧されて誤作動する場合があり、車の安全性に関わる。また、押圧式キーの表面は、度々手に触れられることで、表面の材質が磨損したり或いはボタンの表示記号が摩擦するため、車のリモートキーの使用寿命は短い。
【発明の概要】
【発明が解決しようとする課題】
【０００３】
以上の問題点に鑑みて、本発明は、誤作動を防止でき、且つ使用寿命が長い車のリモートキーを提供することを目的とする。
【課題を解決するための手段】
【０００４】
上記の課題を解決するために、本発明の車のリモートキーは、本体、本体に設置されたタッチパネル、本体内部に設置された記憶ユニット、タッチ検出ユニット、マイクロ制御器及び無線通信ユニットを備える。タッチパネルには、複数の機能アイコンが設置され、ユーザのタッチ操作に応答して、対応するタッチ信号を生成し、記憶ユニットには、各機能アイコンの座標位置、複数のタッチ情報及び複数のタッチ情報と予め設定された機能との対応関係が予め保存されており、ここで、各タッチ情報は、１つの機能アイコンの座標位置を開始点として設定されたタッチ経路を備え、タッチ検出ユニットは、タッチパネルに接続されて、タッチパネルが生成したタッチ信号を検出し、且つ検出された信号に基づいて、対応するタッチ情報を確認した後、該タッチ信号をマイクロ制御器に送信し、ここで、タッチ情報は、タッチ軌跡及びタッチ開始点位置を備え、マイクロ制御器は、タッチ検出ユニットからタッチ情報を受信し、且つ記憶ユニットを検索して、タッチ軌跡の開始点位置が複数の前記機能アイコンの中の１つの座標位置と一致するかどうかを判断し、タッチ軌跡の開始点位置が複数の機能アイコンの中の１つの座標位置と一致すると確定すると、更に前記記憶ユニットを検索して、タッチ軌跡が予め設定されたタッチ経路と一致するかどうかを判断し、タッチ軌跡が予め設定されたタッチ経路と一致すると確定すると、タッチ情報は記憶ユニットの中のタッチ情報であると確定し、タッチ情報と予め設定された機能との対応関係に基づいて、前記タッチ情報に対応する予め設定された機能を確定し、且つ確定された予め設定された機能を作動するコントロール信号を生成し、無線通信ユニットは、コントロール信号を車に送信することにより、車がコントロールされ、対応する機能が実行される。
【０００５】
上記の課題を解決するために、本発明の車のリモートキーは、本体、本体に設置されたタッチパネル、本体内部に設置された記憶ユニット、タッチ検出ユニット、マイクロ制御器及び無線通信ユニットを備える。タッチパネルには、複数の機能アイコンが設置され、ユーザのタッチ操作に応答して、対応するタッチ信号を生成し、記憶ユニットには、各機能アイコンの座標位置、終点指示アイコンの座標位置、複数のタッチ情報及び複数のタッチ情報と予め設定された機能との対応関係が予め保存されており、ここで、各タッチ情報は、１つの機能アイコンの座標位置を開始点として設定され、且つ終点指示アイコンの座標位置を終点として設定されたタッチ経路を備え、タッチ検出ユニットは、タッチパネルに接続されて、タッチパネルが生成したタッチ信号を検出し、且つ検出された信号に基づいて、対応するタッチ情報を確認した後、該タッチ信号をマイクロ制御器に送信し、ここで、タッチ情報は、タッチ軌跡及びタッチ開始点位置を備え、マイクロ制御器は、タッチ検出ユニットからタッチ情報を受信し、且つ記憶ユニットを検索してタッチ軌跡の開始点位置が、複数の機能アイコンの中の１つの座標位置と一致するかどうかを判断し、タッチ軌跡の開始点位置が複数の機能アイコンの中の１つの座標位置と一致すると確定すると、更に記憶ユニットを検索して、タッチ軌跡のタッチ終点位置が、終点指示アイコンの座標位置かどうかを判断し、タッチ軌跡のタッチ終点位置が、終点指示アイコンの座標位置であると確定すると、マイクロ制御器は、タッチ情報が記憶ユニットの中のタッチ情報であると確定し、且つタッチ情報と予め設定された特定機能との対応関係に基づいて、タッチ情報に対応する予め設定された機能を確定し、且つ確定された予め設定された機能に対応するコントロール信号を生成し、無線通信ユニットは、コントロール信号を車に送信することにより、車がコントロールされ、対応する機能が実行される。
【発明の効果】
【０００６】
本発明の車のリモートキーは、インタフェースが、従来の押圧式からタッチ式に変更されており、且つ指のタッチ軌跡に基づいて、各予め設定した機能を作動させるため、誤作動を防止できる。また、タッチ式のインタフェースであるため、度々指に触れられても、表面の材質或いはボタンの表示記号は磨損せず、車のリモートキーの使用寿命を長くすることができる。
【図面の簡単な説明】
【０００７】
【図１】本発明に係る第一実施形態の車のリモートキーの構造図である。
【図２】図１に示した車のリモートキーの機能モジュール図である。
【図３】図１に示した車のリモートキーの操作を示す図である。
【図４】本発明に係る第二実施形態の車のリモートキーの構造及び操作を示す図である。
【発明を実施するための形態】
【０００８】
以下、図面に基づいて、本発明に係る車のリモートキーについて詳細に説明する。図１に示したように、本発明の第一実施形態の車のリモートキー１００は、本体２０及び本体２０に設置されたタッチパネル３０を備える。タッチパネル３０には、複数の機能アイコン３１（例えば、ロックアイコン、ロック解除アイコン、屋根オープンアイコン、屋根クローズアイコン、トランクオープンアイコン及びトランククローズアイコン等）が設置されており、ユーザは、予め設定した操作方式によって、該機能アイコン３１を操作して、対応する機能を作動させることができる。本実施形態において、タッチパネル３０は、透明な材質によって製造され、機能アイコン３１はタッチパネル３０の内部に設置されるため、手で度々触れられても、機能アイコン３１は磨損しない。他の実施形態において、機能アイコン３１は、印刷、レーザーエッチング等の方式によって、タッチパネル３０に設置される。
【０００９】
図２に示したように、車のリモートキー１００は、更に、本体２０内部に設置された記憶ユニット５０、タッチ検出ユニット６０、マイクロ制御器７０及び無線通信ユニット８０を備える。
【００１０】
記憶ユニット５０には、各機能アイコン３１の座標位置、複数のタッチ情報及び複数のタッチ情報と予め設定した機能との対応関係が予め保存されている。
【００１１】
タッチパネル３０は、ユーザのタッチ操作３２に応答して、対応するタッチ信号を生成する。
【００１２】
タッチ検出ユニット６０は、タッチパネル３０と接続されて、タッチパネル３０が生成したタッチ信号を検出し、且つ検出された信号に基づいて、対応するタッチ情報を確認した後、該タッチ信号をマイクロ制御器７０に送信する。
【００１３】
マイクロ制御器７０は、タッチ検出ユニット６０からタッチ情報を受信し、且つ該タッチ情報が記憶ユニット５０に保存されているタッチ情報であるかどうかを判断する。タッチ情報が記憶ユニット５０に保存されているタッチ情報である場合、マイクロ制御器７０は、タッチ情報と予め設定された機能との対応関係に基づいて、タッチ情報に対応する予め設定された機能を確定し、且つ確定された予め設定された機能を作動するコントロール信号を生成した後、無線通信ユニット８０を介して、車の受信機（図示せず、例えば、この受信機は車のドアに設置されている）に送信することにより、車がコントロールされ、対応する機能が実行される。
【００１４】
図３に示したように、車のリモートキー１００を使用する際、ユーザは、機能アイコン３１をタッチし、且つ指を特定の方向（例えば、機能アイコン３１から上方或いは下方）に向けてスライドさせて、対応する機能を作動させる。
【００１５】
具体的には、記憶ユニット５０に保存されている複数のタッチ情報において、各タッチ情報は、機能アイコン３１の座標位置を開始点として、予め設定された方向にスライドする予め設定されたタッチ経路を示す情報を備える。予め設定されたタッチ経路は、機能アイコン３１の座標位置を開始点として、予め設定された方向にスライドする軌跡である或いは機能アイコン３１の座標位置を開始点として、何れかの方向にスライドし、且つ予め設定された様式を備える軌跡、例えば、直線様式或いは弧線様式等の軌跡である。
【００１６】
タッチ検出ユニット６０に確定されたタッチ情報は、タッチ軌跡及びタッチ開始点位置を示す情報を備える。
【００１７】
マイクロ制御器７０は、記憶ユニット５０からタッチ軌跡のタッチ開始点位置が、複数の機能アイコン３１の中の１つの座標位置かどうかを検索する。タッチ開始点位置が複数の機能アイコン３１の中の１つの座標位置である場合、マイクロ制御器７０は、記憶ユニット５０から、タッチ軌跡が予め設定されたタッチ経路と一致するかどうかを検索する。タッチ軌跡が予め設定されたタッチ経路と一致する場合、マイクロ制御器７０は、タッチ情報が記憶ユニット５０の中の予め設定されたタッチ情報であると確定し、且つタッチ情報と予め設定された機能との対応関係とに基づいて、タッチ情報に対応する予め設定された機能を確定し、該確定された予め設定された機能を作動するコントロール信号を生成した後、無線通信ユニット８０を介して、車に送信する。
【００１８】
マイクロ制御器７０は、タッチ開始点位置が複数の機能アイコン３１の中の１つの座標位置ではない場合、或いはタッチ開始点位置が複数の機能アイコン３１の中の１つの座標位置であるが、タッチ軌跡と予め設定されたタッチ経路と一致しない場合、マイクロ制御器７０は、タッチ情報に対して何の処理も行なわない。即ち該タッチ操作３２は誤操作であると判断して、誤作動を防止する。
【００１９】
図４に示したように、本発明の第二実施形態の車のリモートキー２００のタッチパネル３０には、終点指示アイコン３３が設置されている。車のリモートキー２００を使用する際、ユーザは、機能アイコン３１をタッチして、終点指示アイコン３３までスライドした後、タッチパネル３０から指を放して、予め設定された対応する機能を作動させる。
【００２０】
車のリモートキー２００の記憶ユニット５０には、終点指示アイコン３３の座標位置が予め保存されている。記憶ユニット５０に保存されている複数のタッチ情報の中の各タッチ情報は、１つの機能アイコン３１の座標位置を開始点として設定され、且つ終点指示アイコン３３の座標位置を終点として予め設定されたタッチ経路を示す情報を備える。
【００２１】
タッチ検出ユニット６０が確定したタッチ情報は、タッチ軌跡及びタッチ開始点位置とタッチ終点位置を示す情報を備える。
【００２２】
記憶ユニット５０からタッチ軌跡のタッチ開始点位置が、複数の機能アイコン３１の中の１つの座標位置かどうかを検索する。タッチ軌跡のタッチ開始点位置が、複数の機能アイコン３１の中の１つの座標位置である場合、マイクロ制御器７０は、更に、記憶ユニット５０からタッチ軌跡の開始点位置が終点指示アイコン３３の座標位置かどうかを検索する。タッチ軌跡の開始点位置が終点指示アイコン３３の座標位置である場合、マイクロ制御器７０は、該タッチ情報が記憶ユニット５０の中の予め設定されたタッチ情報であると確定し、且つタッチ情報と予め設定された機能との対応関係に基づいて、タッチ情報に対応する予め設定された機能を確定し、該確定された予め設定された機能を作動するコントロール信号を生成した後、該コントロール信号を無線通信ユニット８０を介して、車に送信する。
【００２３】
タッチ開始点位置が複数の機能アイコン３１の中１つの座標位置ではない場合、或いはタッチ開始点位置が複数の機能アイコン３１の中の１つの座標位置であるが、タッチ軌跡のタッチ開始点位置が終点指示アイコン３３の座標ではない場合、即ち、ユーザが機能アイコン３１以外の他の位置をタッチした場合、マイクロ制御器７０は、タッチ情報に対して何の処理も行わない。即ちタッチ操作３２を誤操作であると判断する。
【００２４】
本発明の車のリモートキー１００は、インタフェースを従来の押圧式からタッチ式に変更して、指のタッチ軌跡に基づいて、各予め設定された機能を作動させるため、誤作動を防止することができる。
【００２５】
図２に示したように、車のリモートキー１００、２００は、更に提示制御ユニット９０を備える。該提示制御ユニット９０は、ユーザがタッチしたことを示す。本発明の第一実施形態の提示制御ユニット９０は振動器であり、マイクロ制御器７０が、タッチ開始点位置が複数の機能アイコン３１の中の１つの座標位置であると確定した場合に振動する。本発明の第二実施形態の提示制御ユニット９０は照明制御器であり、マイクロ制御器７０が、タッチ開始点位置が複数の機能アイコン３１の中の１つの座標位置であると確定した場合、確定した座標位置に対応する機能アイコン３１を点灯させて、タッチされた機能アイコン３１を点灯させた状態で表示する。
【００２６】
車のリモートキー１００はさらに、本体２０に設置された複数の機能ボタン４０を備える。該機能ボタン４０は、タッチパネル３０と同じ表面或いは異なる表面に設置される。機能ボタン４０は、ユーザにより物理的に押下されることが可能なボタンである。機能ボタン４０によって作動する機能は、ユーザの要求によって予め設定された機能であり、例えば、セキュリティ警報、エンジンの作動／停止等の機能である。他の実施形態において、車のリモートキー１００は、個人の身元を設定でき、且つＧＰＳ機能、エレクトロニックバンキング機能等を有する。さらには、比較的近傍の無線通信装置と通信できる。
【００２７】
記憶ユニット５０には、各機能ボタンと予め設定された特定機能の対応関係が予め保存されている。
【００２８】
車のリモートキー１００を使用する際、ユーザは、機能ボタン４０を押圧して、対応する機能を作動させる。例えば、セキュリティ警報を鳴らす。機能ボタン４０は、例えば、ユーザの押圧操作に応じて（検出して）、対応する押圧信号を生成し、且つ対応する押圧信号をマイクロ制御器７０に送信する。マイクロ制御器７０は、この押圧信号に基づいて、押圧された機能ボタン４０を確定し、且つ押圧された機能ボタン４０と特定機能との対応関係に基づいて、対応する特定機能を確定した後、対応する特定機能を作動するコントロール信号を生成して、該コントロール信号を無線通信ユニット８０を介して、車に送信する。
【符号の説明】
【００２９】
１００、２００  車のリモートキー
２０  本体
３０  タッチパネル
３１  機能アイコン
３２  タッチ操作
３３  終点指示アイコン
４０  機能ボタン
５０  記憶ユニット
６０  タッチ検出ユニット
７０  マイクロ制御器
８０  無線通信ユニット
９０  提示制御ユニット
【図１】
2015045218.tif 000003
【図２】
2015045218.tif 000004
【図３】
2015045218.tif 000005
【図４】
2015045218.tif 000006